(57)【特許請求の範囲】
【請求項１】
ハウジングと、
前記ハウジングの一方の端部の外側に取り付けられたスピーカユニットと、
前記ハウジングの内部における他方の端部側に取り付けられたマイクユニットと、
前記ハウジングの内部において、前記スピーカユニットと前記マイクユニットとの間に仕切り壁を介して直列的に設けられた複数の空間と、
を有するマイク付きイヤホン。
【請求項２】
前記仕切り壁の少なくとも一つが、前記ハウジング以外の部材で形成されていることを特徴とする請求項１記載のマイク付きイヤホン。
【請求項３】
前記ハウジングにおける前記一方の端部側が筒状部とされると共に、前記スピーカユニットが前記筒状部の先端面に取り付けられており、
前記筒状部にイヤピースが装着されることを特徴とする請求項１又は請求項２記載のマイク付きイヤホン。
【請求項４】
前記筒状部に前記イヤピースが装着されると共に前記イヤピースが外耳道に挿入された状態を使用状態とし、
前記使用状態において、
前記スピーカユニットが前記外耳道の内部に位置し、前記マイクユニットが頭部から離隔した位置にあることを特徴とする請求項３記載のマイク付きイヤホン。
【請求項５】
前記スピーカユニット及びマイクユニットと外部の装置との間で音声信号を授受するために前記ハウジングから前記外部に引き出されているコードと、
前記コードを保持するブッシングと、を有し、
前記複数の空間の内の少なくとも一つの空間の内部に、前記ブッシングの一部が進入していることを特徴とする請求項３又は請求項４記載のマイク付きイヤホン。
【請求項６】
前記イヤピースは、前記ハウジングを径方向に付勢する第１の付勢部と、前記ハウジングを前記他方の端部側に向け付勢する第２の付勢部と、を有していることを特徴とする請求項３〜５のいずれか１項に記載のマイク付きイヤホン。
【請求項７】
ハウジングと、前記ハウジングの一方の端部の外側に取り付けられたスピーカユニットと、前記ハウジングの内部における他方の端部側に取り付けられたマイクユニットと、前記ハウジングの内部において前記スピーカユニットと前記マイクユニットとの間に仕切り壁を介して直列的に設けられた複数の空間と、を有するマイク付きイヤホンと、
前記マイク付きイヤホンが接続され、前記マイクユニットから出力された音声信号を増幅して前記スピーカユニットに向け出力する音声増幅部と、
を備えた集音機。
【発明の詳細な説明】
【技術分野】
【０００１】
本発明は、マイク付きイヤホン及びそれを備えた集音機に係る。
【背景技術】
【０００２】
外部の音をマイクで集音し、集音した音を音声増幅部で増幅して使用者の耳に装着されたイヤホン本体部のスピーカユニットから出力するいわゆる集音機が知られている。
このような集音機におけるマイクは、音声増幅部，音声増幅部とイヤホンとをつなぐコードの分岐部，又はイヤホンの本体部、など使用者の近くに配置されるのが、自然な聴取感覚が得られることにより一般的となっている。
特に、イヤホンの本体部にマイクを配置した場合は、マイクが使用者の耳に近接した位置にあるため、他の場所に配置した場合に比べ、より自然な聴取感覚が得られる。
【０００３】
特許文献１には、このように、イヤホンの本体部にスピーカユニットとマイクとの両方を配置した一例が、マイク付きイヤホンとして記載されている。
このマイク付きイヤホンは、ハウジングと、その先端部に取り付けられスピーカユニットを収容したスピーカ部材と、スピーカ部材に対しさらに先端側（ハウジングの反対側）に突出するよう取り付けられた耳栓と、ハウジング内におけるスピーカ部材と対向する位置に収容されたマイクと、を有している。そして、耳栓を外耳道の内部に挿入することで使用者の耳に装着される。
【先行技術文献】
【特許文献】
【０００４】
【特許文献１】特開２００５−２８６５００号公報
【発明の概要】
【発明が解決しようとする課題】
【０００５】
ところで、イヤホンの本体部にスピーカユニットとマイクとの両方を配置した場合、スピーカユニットにマイクが近接していることから、増幅利得を上げスピーカユニットからの出力音声を大きくするとハウリングが生じ易くなるという問題がある。
【０００６】
このハウリングは、本体部のスピーカユニットからの出力音声又はその音声の機械振動が、同じ本体部のマイクに伝播して音として集音され、フィードバックがかかることにより生じる発振現象である。
イヤホンにおいて、スピーカユニットからの出力音声又はその音声の機械振動がマイクに至る伝播経路は、次のａ）〜ｃ）の三つである。
ａ）スピーカユニットからイヤホンの外部へ出力された音声が、外部の空間を伝播して本体部に配置されたマイクに到達する経路（以下、外部空間伝播とも称する）。
ｂ）スピーカユニットの駆動により生じる機械振動が、本体部における剛体であるハウジングを伝播して本体部に配置されたマイクに到達する経路（以下、筐体伝播とも称する）。
ｃ）スピーカユニットから出力された音声が、本体部の主に内部空間を一部機械振動に変換されつつ伝播して本体部に配置されたマイクに到達する経路（以下、内部空間伝播とも称する）。
従って、これらａ）〜ｃ）の経路の伝播抑制は、ハウリングの発生を抑制する方向に作用する。
尚、筐体伝播は、その程度が大きいと、マイクの有無に拘わらず、再生音質に濁りが生じて音質が低下する傾向にある。そのため、筐体伝播の抑制は、音質改善の点でも期待される。
【０００７】
特許文献１では、ｂ）の筐体伝播及びｃ）の内部空間伝播に関し、スピーカユニットの振動をさせる防振部材を設けると共に、スピーカユニットにおいて振動板を支持するスピーカハウジングに、振動板の内部と外部とを連通する切り欠き部を設けている。これにより、スピーカユニットの音響インピーダンスを低下させ、その音響インピーダンスを、切り欠き部の形状，位置，及び数を適宜設計して、ハウリングの発生し難い所望の特性にすることが提案されている。
【０００８】
しかしながら、この方法で切り欠き部の形状，位置，及び数を変えると、スピーカユニット自体の出力音質も変わってしまう。
そのため、ハウリングの発生防止と使用に好適な再生音質の確保との両立のため、カット＆トライでの設計工数が多く必要となり、場合によっては、両立が困難なこともあり得る。
従って、より簡単で確実にハウリングの発生を抑制できることが望まれている。
【０００９】
そこで、本発明が解決しようとする課題は、イヤホンの本体部にスピーカユニットとマイクを備えても、より簡単で確実にハウリングの発生が抑制されるマイク付きイヤホン及びそれを備えた集音機を提供することにある。
【課題を解決するための手段】
【００１０】
上記の課題を解決するために、本発明は次の１），２）の構成を有する。
１）  ハウジング(HG)と、前記ハウジング(HG)の一方の端部の外側に取り付けられたスピーカユニット(24)と、前記ハウジング(HG)の内部における他方の端部側に取り付けられたマイクユニット(27)と、前記ハウジング(HG)の内部において、前記スピーカユニット(24)と前記マイクユニット(27)との間に仕切り壁(21d)を介して直列的に設けられた複数の空間(V1〜V3)と、
を有するマイク付きイヤホン(52)である。
２）  ハウジング(HG)と、前記ハウジング(HG)の一方の端部の外側に取り付けられたスピーカユニット(24)と、前記ハウジング(HG)の内部における他方の端部側に取り付けられたマイクユニット(27)と、前記ハウジング(HG)の内部において、前記スピーカユニット(24)と前記マイクユニット(27)との間に仕切り壁(21d)を介して直列的に設けられた複数の空間(V1〜V3)と、を有するマイク付きイヤホン(52)と、
前記マイク付きイヤホン(52)が接続され、前記マイクユニット(27)から出力された音声信号を増幅して前記スピーカユニット(24)に向け出力する音声増幅部(41)と、
を備えた集音機(51)である。
【発明の効果】
【００１１】
本発明によれば、より簡単で確実にハウリングの発生を抑制できる、という効果を奏する。
【図面の簡単な説明】
【００１２】
【図１】本発明の実施の形態に係るマイク付きイヤホンを備えた集音機の実施例である集音機５１を説明するための外観図である。
【図２】本発明の実施の形態に係るマイク付きイヤホンの実施例であるマイク付きイヤホン５２を説明するための外観斜視図である。
【図３】マイク付きイヤホン５２の図１におけるＳ１−Ｓ１断面図である。
【図４】マイク付きイヤホン５２の図１におけるＳ２−Ｓ２断面図である。
【図５】マイク付きイヤホン５２におけるスピーカユニット２４の取り付け構造を説明するための分解斜視図である。
【図６】マイク付きイヤホン５２におけるマイク部Ｍを説明するための分解斜視図である。
【図７】マイク付きイヤホン５２を耳に装着した状態を説明するための図である。
【図８】マイク付きイヤホン５２の構造を一般モデル化した模式図である。
【図９】マイク付きイヤホン５２の変形例を説明するための部分断面図である。
【発明を実施するための形態】
【００１３】
本発明の実施の形態に係るマイク付きイヤホンを備えた集音機を、好ましい実施例及び変形例により図１〜図９を参照して説明する。
以下の説明において、上下前後の各方向を図２の矢印の方向に規定している。この方向は、使用状態の姿勢における方向等とは関係がなく、理解容易のため便宜的に規定したものである。
【００１４】
（実施例）
図１は、実施例である、マイク付きイヤホンを備えた集音機５１（以下、単に集音機５１とも称する）を示す外観図である。
集音機５１は、いわゆるステレオイヤホンであるイヤホン部１と、イヤホン部１が接続可能な音声増幅部４１と、を有して構成されている。図１は、音声増幅部４１にイヤホン部１が接続された状態で示されている。
音声増幅部４１は、イヤホン部１を接続するための端子部４１ａ，電源スイッチ４１ｂ，及び増幅量（音量）調節ボリューム４１ｃを有している。
集音機５１は、イヤホン部１にマイクユニット（後述）及びスピーカユニット（後述）を備え、マイクユニットで集音した音声の信号を、音声増幅部４１で増幅し、イヤホン部１のスピーカユニットから音声として出力することができるものである。
【００１５】
イヤホン部１は、右左の耳それぞれに装着されるイヤホン本体部２，３と、イヤホン本体部２，３それぞれから延出するコード２ａ，３ａと、コード２ａとコード３ａとの分岐の基となる分岐部４と、音声増幅部４１の端子部４１ａに接続されるプラグ５と、プラグ５と分岐部４との間をつなぐ基本コード６と、を備えて構成されている。
基本コード６は、イヤホン本体部２，３と、イヤホン本体部２，３に対して外部の装置となる音声増幅部４１と、の間で音声信号を授受するためのコードである。
ここでは、コード２ａを含めたイヤホン本体部２及びコード３ａを含めたイヤホン本体部３を、それぞれマイク付きイヤホン５２と称する。
イヤホン本体部２とイヤホン本体部３は、面対称に形成され実質的に構成は同じなので、以下、イヤホン本体部２とコード２ａとからなるマイク付きイヤホン５２について詳述する。
【００１６】
図２〜図４に主に示されるように、イヤホン本体部２は、前方側から、前ハウジング２１，後ハウジング２２，及びオーナメント２３の順で内部に空間Ｖを形成するように溶着や接着等で一体化されている。
また、前ハウジング２１と後ハウジング２２間には、ブッシング２６が挟み込まれて保持されている。ブッシング２６の一部であるコードガイド２６ａは、イヤホン本体部２の下方側に形成される開口部２ｃから下方外部に向け延出している。
【００１７】
前ハウジング２１は、略半球状の基部２１ａと、基部２１ａから前方に向け筒状に突出する筒状部２１ｂと、基部２１ａの内面に形成され略弧状にて前後方向に延材する内リブ２１ｃと、を有している。
また、前ハウジング２１の内面において、基部２１ａと筒状部２１ｂとの境界部付近に仕切り壁２１ｄが設けられている。この仕切り壁２１ｄには孔２１ｄ１が形成されている。
【００１８】
後ハウジング２２は、前方側よりも後方側が縮径にてすぼまった環状の略円錐台形状に形成されている。
オーナメント２３は、後ハウジング２２の後方側の開口を塞ぐ略鍋蓋状に形成されている。
前ハウジング２１の下方側と後ハウジング２２の下方側には、円弧状の切り込みが形成されており、両部位が合わさって上記の開口部２ｃが形成されている。
前ハウジング２１，後ハウジング２２，及びオーナメント２３は、熱可塑性樹脂で形成されている。例えば、ＡＢＳ（アクリロニトリル・ブタジエン・スチレン）樹脂である。
【００１９】
ブッシング２６は、上述のコードガイド２６ａと、コードガイド２６ａに連結して空間Ｖ内に進入する略環状の基部２６ｂと、を有する。
基部２６ｂは、空間Ｖ内において、前ハウジング２１及び後ハウジング２２の内面に概ね沿う形状に形成されており、前方側が前ハウジング２１の基部２１ａと内リブ２１ｃとの間に挟持される。
コードガイド２６ａには、基部２６ｂの内側の空間と、コードガイド２６ａにおける先端面２６ａ１の外側の外部空間と、を連通するコード孔２６ｃが形成されている。
コード孔２６ｃは、基部２６ｂ側において空間Ｖに開口部２６ｃ１で開口している。
ブッシング２６は柔軟性を有する材料で形成されている。例えば、シリコーンゴム、熱可塑性エラストマ（ＴＰＥ）等である。
【００２０】
筒状部２１ｂの前方端部には、扁平の円柱形状のスピーカユニット２４が、有底円筒状のユニットホルダ２５に収められるようにして取り付けられている。すなわち、スピーカユニット２４は、前ハウジング２１の一方の端部の外側に取り付けられている。
具体的には、図５にも示されるように、スピーカユニット２４は、ユニットホルダ２５の内側空間に微小クリアランスで挿入され、かつ筒状部２１ｂの端面２１ｂ１に当接した状態とされ、この状態でユニットホルダ２５の開放端側部位を筒状部２１ｂの周方向に形成された凹部２１ｂ２にかしめることで前ハウジング２１に対する前方端部に保持される。
ユニットホルダ２５は、ＳＵＳ等の薄板材を深絞り加工して有底円筒状に形成されている。
【００２１】
スピーカユニット２４としては、外径が約５ｍｍ程度の小型のものが用いられる。
筒状部２１ｂの外径をこの小型のスピーカユニット２４の外径に合わせることにより、イヤホン本体部２は、筒状部２１ｂ及びイヤピース７を外耳道内に挿入できるようになっている。
【００２２】
筒状部２１ｂには、イヤピース７が着脱自在に装着される。この筒状部２１ｂの外周面には、イヤピース７と嵌合するための周溝２１ｂ３が形成されている。
イヤピース７は、円筒状の基部７ａと、基部７ａの一端側（前方側）から外方に張り出すと共に他端側に向かって基部７ａを覆うように薄肉で形成された傘状部７ｂと、を有する。
イヤピース７の前方端部には、スピーカユニット２４から出力された音声を外部に放出するための放音孔７ｃが形成されている。
イヤピース７は、柔軟性を有する材料で形成される。例えば、シリコーンゴムである。
【００２３】
イヤピース７を筒状部２１ｂに装着する際に、基部７ａの他端側（後方側）に形成された内向きリブ７ａ１を周溝２１ｂ３に弾性的に嵌合させる。これにより、イヤピース７は筒状部２１ｂから容易には外れないようになっている。
【００２４】
イヤホン本体部２を耳介Ｅ（図７参照）に装着する際には、イヤピース７及び筒状部２１ｂを外耳道内に挿入する。このとき、傘状部７ｂは外耳道の内面にほぼ密着するように変形する。
【００２５】
空間Ｖにおける後方側（スピーカユニット２４とは反対側）には、マイク部Ｍが取り付けられている。
図６にも示されるように、マイク部Ｍは、マイクユニット２７と、基板２８と、マイクユニット２７を柔軟に保持すると共に基板２８と弾性的に当接するホルダ２９と、を含んで構成されている。図６において、ホルダ２９は、半断面で示されている。
【００２６】
マイクユニット２７は、円柱状を呈し、収音面２７ａの反対側となる背面２７ｂに、突出する一対の端子ピン２７ｃを有している。
基板２８は、円盤状に形成されており、マイクユニット２７の一対の端子ピン２７ｃを挿通するための一対の孔２８ａを有している。この例で基板２８は、マイクユニット２７よりも大径とされている。
各孔２８ａの周囲には、挿通された端子ピン２７ｃとの間の半田付けを可能とするランドが設けられている。
基板２８には、所定の配線パターンを設けてもよく、配線パターン上に電子部品を装着してもよい。
【００２７】
ホルダ２９は、底部２９ａを有して有底なる円環状に柔軟性を有する材料で形成されている。材料例はシリコーンゴムである。
底部２９ａには、集音の為の孔２９ａ１が、例えば中央部に形成されている。
ホルダ２９は、長手方向中間部において、内径を縮める仕切り壁２９ｂが形成されている。仕切り壁２９ｂには、孔２９ｂ１が形成されている。
【００２８】
ホルダ２９の仕切り壁２９ｂと底部２９ａとの間には、円柱状の空間Ｖｍが形成されている。
マイクユニット２７は、ホルダ２９を変形させながらその空間Ｖｍに嵌め込むことができる。マイクユニット２７は、空間Ｖｍには寸法的にほぼクリアランスがない状態で収容される。
マイクユニット２７が空間Ｖｍに収められた状態で、一対の端子ピン２７ｃは、孔２９ｂ１内を通り基板２８の一対の孔２８ａに挿通され半田付けされる。
基板２８は、仕切り壁２９ｂの前方側の面に密着して配設されている。
【００２９】
ブッシング２６は、長手方向寸法が、つぶれしろを有するよう長く形成されている。これにより、イヤホン本体部２を組み立てた状態で、ブッシング２６はマイク部Ｍを後方側に付勢する（図３の矢印Ｆ１参照）。
そのため、マイク部Ｍは、ブッシング２６とオーナメント２３との間に僅かに縮まるように変形してしっかりと挟持される。
基板２８の周縁部には、基板２８とホルダ２９とブッシング２６の基部２６ｂとに跨るよう周方向に接着剤Ｂ１が塗布され、三つの部材は一体化される。
【００３０】
オーナメント２３には、外部の音をマイクユニット２７に誘導するため、集音孔２３ａ（図７も参照）が設けられている。
集音孔２３ａは、ホルダ２９に設けられた集音の為の孔２９ａ１に対して直接対向しない位置に設けられている。
すなわち、集音孔２３ａを外部から覗いても孔２９ａ１が全く見えないようにそれぞれの位置及び形状が設定されている。
【００３１】
この例において具体的に説明すると、孔２９ａ１は、ホルダ２９の中心部に設けられている。そのため、オーナメント２３において、集音孔２３ａは中心位置ではなく径方向外側に偏倚した位置に設けられると共に、集音孔２３ａと孔２９ａ１とを連通する連通路２３ｂが形成されている。
これにより、マイクユニット２７での外部音の集音において、風が強くても、その風は外部から直接、マイクユニット２７に到達することがなく、経路に沿って折れ曲がって進行するため著しく減衰し、風切り音が大幅に低減する。
【００３２】
コード２ａは４芯線であり、上述のように、分岐部４によりコード３ａと一体化されて基本コード６とされている。基本コード６の先端側は、音声増幅部４１の端子部４１ａに接続するためのプラグ５とされている。音声増幅部４１内で、コード２ａ及びコード３ａの各グランド線は共通グランドとして接続されている。
コード２ａにおける分岐部４に対する反対端は、ブッシング２６のコード孔２６ｃを通してイヤホン本体部２の内部の空間Ｖに進入し、抜け防止のための結び玉２６ｄが形成されている。
結び玉２６ｄを経た他端側先端からは、４本のリード線３０ａ〜３０ｄが延出している。その内、２本のリード線３０ａ，３０ｂがスピーカユニット２４に接続され、残りのリード線３０ｃ，３０ｄが、基板２８の一対の孔２８ａ周囲のランドにそれぞれ接続されている。これにより、リード線３０ｃ，３０ｄは、マイクユニット２７に電気的に接続されている。
リード線３０ａ，３０ｂは、仕切り壁２１ｄの孔２１ｄ１に挿通されており、孔２１ｄ１には、充填剤Ｂ２が充填されている。これにより、リード線３０ａ，３０ｂは仕切り壁２１ｄに固定されると共に、孔２１ｄ１の通気が遮断されている。
【００３３】
上述の構成において、前ハウジング２１，後ハウジング２２，及びオーナメント２３の一体化により内部に形成される空間Ｖは、組み立て完了後には複数の独立した空間に分割されている。
この例では、複数の独立した空間は三つの空間であり、前方側から筒状部空間Ｖ１（第１の空間Ｖ１），基部空間Ｖ２（第２の空間Ｖ２），及びマイク部空間（第３の空間Ｖ３）である。
【００３４】
筒状部空間Ｖ１は、筒状部２１ｂと、スピーカユニット２４の背面２４ａと、仕切り壁２１ｄと、仕切り壁２１ｄの孔２１ｄ１に充填された充填剤Ｂ２と、により囲まれ、外部及び隣接する基部空間Ｖ２との通気が実質的にない状態になっている。
基部空間Ｖ２は、仕切り壁２１ｄと、仕切り壁２１ｄの孔２１ｄ１に充填された充填剤Ｂ２と、前ハウジング２１の基部２１ａの内面と、ブッシング２６の内面と、ブッシング２６のコード孔２６ｃに挿通されたコード２ａと、基板２８と、接着剤Ｂ１と、に囲まれ、外部、並びに、隣接する筒状部空間Ｖ１及びマイク部空間Ｖ３との通気が実質的にない状態になっている。
マイク部空間Ｖ３は、基板２８と、ホルダ２９の孔２９ｂ１の内周面と、マイクユニット２７の背面２７ｂと、に囲まれ、外部及び隣接する基部空間Ｖ２との通気が実質的にない状態になっている。
【００３５】
筒状部空間Ｖ１と基部空間Ｖ２とを非通気で仕切るための壁となるのは、前ハウジング２１に壁として設けられた仕切り壁２１ｄ及び充填剤Ｂ２である。
また、基部空間Ｖ２とマイク部空間Ｖ３とを非通気で仕切る壁は、基板２８である。すなわち、基板２８は、電気接続の機能と非通気の機能と、を兼ね備えている。
【００３６】
次に、上述したマイク付きイヤホン５２を耳に装着した状態について、図７も参照して説明する。ここで、マイク付きイヤホン５２は左耳用のものとする。右耳用であっても内容は同じである。
図７は、使用者の左耳の耳介Ｅにマイク付きイヤホン５２を装着した状態を示す図である。
【００３７】
上述のように、使用者の耳への装着の際に、イヤピース７は外耳道内に挿入され、図７においてはハウジング２１の一部が視認され得るようになっている（耳介Ｅの形状の個人差等から必ずしも視認されるとは限らない）。
イヤホン本体部２における前ハウジング２１のほぼ全体部位と後ハウジング２２の前方側の部位とは、耳珠Ｅ２と対耳珠Ｅ３との間に挟まれるようにして耳甲介腔Ｅ１に収められている。
ブッシング２６のコードガイド２６ａは、丁度、珠間切痕Ｅ４の凹みに嵌る位置にて前ハウジング２１及び後ハウジング２２から延出している。
【００３８】
オーナメント２３は、外部に完全に露出して視認されると共に、人の平均的な耳介形状において、集音孔２３ａの位置の頭部Ｈの表面からの距離（高さ）が、耳介Ｅの中で頭部Ｈの表面から最も遠い（高い）耳輪Ｅ５よりも遠い位置（高い位置）に位置するようになっている。
この集音孔２３ａの直近位置にマイクユニット２７は配設されている。そのため、マイクユニット２７も頭部Ｈから十分離隔した位置にある。
この構成により、耳介Ｅの形状（大きさ）が平均的な場合はもとより、特に耳介Ｅが大きい場合であっても、マイクユニット２７が集音する音に対する耳介Ｅの反射音の影響は大きいものではない。
【００３９】
マイク付きイヤホン５２を実施例として説明した本発明のマイク付きイヤホンの構造を、一般モデル化した模式図が図８である。この図８を参照してさらに詳述する。この説明において、前ハウジング２１と後ハウジング２２とを組み合わせたものをハウジングＨＧと称することにする。
【００４０】
ハウジングＨＧは、一方向（図８の左右方向）に一列に外部との通気を遮断された複数の空間を有する。複数は例えば三つであり、第１〜第３の空間Ｖ１〜Ｖ３である。
ハウジングＨＧの一端面には、スピーカユニット２４が取り付けられている。
スピーカユニット２４から遠い他端面近傍には、マイクユニット２７が配設されている。
マイクユニット２７は、基板２８と電気的に接続されている。
従って、スピーカユニット２４とマイクユニット２７との間には、独立して三つの空間である第１〜第３の空間Ｖ１〜Ｖ３が直列的に配置されている。
詳しくは、ハウジングＨＧの内部において、スピーカユニット２４とマイクユニット２７との間には、仕切り壁２１ｄ及び基板２８なる仕切り壁を介して直列的に複数の空間が配設されている。
【００４１】
第１〜第３の空間Ｖ１〜Ｖ３の内の少なくとも一つの空間には、シリコーンゴム等の柔軟性を有する材料で形成された部材であるブッシング２６の一部が収容されている。この例では、第２の空間Ｖ２に収容され、第２の空間Ｖ２を囲う内面の一部又は全部がブッシング２６により覆われている。
ブッシング２６を介して、コード２ａが外部に延出している。ブッシング２６は、スピーカユニット２４とマイクユニット２７の間の、両ユニットから長手方向にある程度距離を隔てた位置に配設されている。
すなわち、コード２ａは、スピーカユニット２４とマイクユニット２７との間の、両ユニット２４，２７からある程度離れた位置にて外部に引き出されている。
【００４２】
第１〜第３の空間Ｖ１〜Ｖ３を仕切る壁の少なくとも一つは、ハウジングＨＧを構成する部材とは異なる部材で形成されている。この例では、基板２８であるが、基板２８に限定されるものではない。
【００４３】
本発明の実施例は、上述した構成に限定されるものではなく、本発明の要旨を逸脱しない範囲において以下の変形例としてもよい。
【００４４】
（変形例）
イヤピース７を、筒状部２１ｂとの嵌合部位の形状について、図９に示されるように変形したイヤピース７Ａとしてもよい。
図９において、イヤピース７Ａは、基部７Ａａの後方側に設けられた内向きリブ７Ａａ１の内周面において、径方向内側に突出するリブ７Ａａ２を有している。
また、基部７Ａａの後方の端面７Ａａｔに、後方に向け突出するリブ７Ａａ３を有している。
【００４５】
リブ７Ａａ２及びリブ７Ａａ３は、周方向において全周に亘り１個、又は間欠的に複数個が形成されている。
また、断面の外形形状は弧状を呈し、例えば前後方向の幅０．３ｍｍ，突出高さ０．２ｍｍ程度に形成されている。
基部７Ａａと周溝２１ｂ３とは、径方向及び前後方向に互いに付勢する強嵌合となるよう寸法が設定されている。
これにより、リブ７Ａａ２は、筒状部２１ｂの周溝２１ｂ３の底面２１ｂ４に対し径方向内側に向け付勢するように当接する。
一方、リブ７Ａａ３は、周溝２１ｂ３の後側面、すなわち、図９における前ハウジング２１の基部２１ａの前端面２１ａ１に、後方側に向け付勢するように当接する。
ここで、筒状部２１ｂは前ハウジング２１と一体であるから、すなわち、リブ７Ａａ２は、第１の付勢部として前ハウジング２１を径方向に付勢し、リブ７Ａａ３は、第２の付勢部として前ハウジング２１を後方端側に向け付勢するようになっている。
【００４６】
ゴム等の柔軟な材料で形成されているイヤピース７によるこの付勢当接により、イヤホン本体部２の筐体を構成する前ハウジング２１の振動は良好に抑制され、結果としてイヤホン本体部２の振動が抑制される。
従って、スピーカユニット２４からの出力音声の機械振動における筐体伝播が抑制されるので、ハウリングの発生が抑制される。
また、特に、リブ７Ａａ２によりイヤホン本体部２の径方向の振動が抑制され、リブ７Ａａ３によりイヤホン本体部２の前後方向の振動が抑制される。
これにより、機械振動の振動方向によらず効果的に筐体伝播が抑制できるので、ハウリングの発生がより抑制される。
【００４７】
このリブ７Ａａ２及びリブ７Ａａ３による付勢当接は、イヤホン本体部２自体の振動を抑制する。従って、ハウリングの発生を抑制することに限らず、イヤホン５１の音質を濁りの少ない高品位のものとする。
従って、イヤホン本体部２にマイクユニット２７を備えていないイヤホンに適用することで、そのイヤホンの音質を向上させることができる。
【００４８】
実施例で説明したマイク付きイヤホン５２のように、スピーカユニット２４を筒状部２１ｂの前方端部に保持するタイプのイヤホンでは、耳への挿入時等において、イヤピース７と外耳道の内壁とは高度に密着する。そのため、外耳道内の圧力が大気圧より高くなり、スピーカユニット２４の振動板に一方向の力がかかる場合があり得る。この場合の外耳道内と大気との圧力差を減らすために、リブ７Ａａ２，７Ａａ３を、周方向に一周するものではなく、周方向に間欠的に存在するものとして複数個形成し、リブ７Ａａ２，７Ａａ３の形成されていない隙間部分を通して前後方向の通気を可能にしてもよい。
【００４９】
リブ７Ａａ２は、前後方向に多重に設けてもよい。リブ７Ａａ３は、径方向に多重に設けてもよい。
【００５０】
当接相手を付勢するリブは、上述の変形例のようにイヤピース７側に設けることに限らず、筒状部２１ｂの底面２１ｂ４及び基部２１ａの前端面２１ａ１に設けてもよい。
【００５１】
（他の変形例）
マイクユニット２７は、端子ピン２７ｃを備えるものに限定されない。リード接続用の端子部のみ備えてリード線を直付けするものであってもよい。
この場合、基板２８が不要になるので、基部空間Ｖ２とマイク部空間Ｖ３との間に、後ハウジング２２又はブッシング２６に壁部を設けて仕切り壁にするとよい。
【００５２】
マイク付きイヤホン５２は、必ずしも左右両耳用のイヤホン本体部２，３を備えたステレオタイプでなくてもよい。左右いずれか一方の耳介に装着するためのイヤホン本体部を一つ備えた、モノーラルタイプであってもよい。
【００５３】
複数の空間Ｖ１〜Ｖ３の容積比率は限定されない。上述のイヤホン本体部２では、基部空間Ｖ２が最大で、マイク部空間Ｖ３が最小となる図面で構成を示したが、もちろんこれに限定されるものではない。
各空間Ｖ１〜Ｖ３の容積や形状、は、各空間がスピーカユニット２４とマイクユニット２７との間に直列的に並ぶものであれば、自由に設定できる。
この場合の直列的とは、幾何学的に直線状になるものに限らず、振動が空間を伝わる経路として並列にならないという意味である。
従って、ハウジングＨＧは、例えば弓状やＳ字状に湾曲、屈曲していてもよい。
【００５４】
実施例では、マイク付きイヤホン５２は、音声増幅部４１に対してプラグ５により挿抜可能なものを説明したが、これに限定されない。
マイク付きイヤホン５２を音声増幅部４１に対して挿抜不可として、例えば基本コード６が音声増幅部４１から直出しされているものであってもよい。
また、マイク付きイヤホン５２と音声増幅部４１とは、有線で接続されるものに限らない。マイク付きイヤホン５２及び音声増幅部４１それぞれに、電波又は光等の無線で信号を送受信する送受信部を備え、音声信号を無線で送受信可能に接続する構成であってもよい。
【００５５】
以上詳述した実施例及びその変形例の構成によれば、以下の種々の効果が得られる。
【００５６】
すなわち、スピーカユニット２４とマイクユニット２７とが、本体部の一端側と他端側との遠い位置に配置されているので、スピーカユニット２４から出力された音声及びその音声の振動が、マイクユニット２７に伝わり難く、簡単な構造で確実にハウリングの発生が抑制される。これは、外部空間伝播，筐体伝播，及び内部空間伝播すべての抑制に該当する。
【００５７】
使用時に、スピーカユニット２４は、外耳道内に位置する。従って、スピーカユニット２４とマイクユニット２７との間の距離を、より長くすることができ、スピーカユニット２４から出力された音声の振動がマイクユニット２７により伝わり難く、簡単な構造で確実にハウリングの発生が抑制される。これは、外部空間伝播，筐体伝播，及び内部空間伝播すべての抑制に該当する。
【００５８】
使用時には、イヤピース７により外耳道内が気密状態になるので、外耳道内に配置されたスピーカユニット２４からイヤピース７の放音孔７ｃを通して出力された音声が外耳道から外部に漏出し難く、その音声がマイクユニット２７に伝わり難くなっている。従って、簡単な構造で確実にハウリングの発生がより抑制される。これは、外部空間伝播の抑制に該当する。
【００５９】
ハウジングＨＧの内部が、通気性を遮断された複数の空間Ｖ１〜Ｖ３で仕切られている。これにより、スピーカユニット２４から出力された音声の振動がマイクユニット２７に伝達される経路の内、ハウジングＨＧの内部を伝搬する経路については、複数の空間Ｖ１〜Ｖ３とそれを仕切る仕切り壁２１ｄ及び基板２８を通過する必要があり、振動の減衰が著しい。
従って、スピーカユニット２４から出力された音声やその機械振動がマイクユニット２７に伝わり難くなっており、簡単な構造で確実にハウリングの発生が抑制される。これは、内部空間伝播の抑制に該当する。
【００６０】
少なくとも一つの空間Ｖ２の内部に柔軟性を有する材料が進入しているので、空間Ｖ２を伝搬する音声の減衰が生じる。また、空間Ｖ２に面する内面の一部又は全部が、その柔軟性を有する材料で覆われることで、空間Ｖ２を伝搬する音声の減衰がより著しくなっている。
従って、スピーカユニット２４から出力された音声がマイクユニット２７に伝わり難く、簡単な構造で確実にハウリングの発生が抑制される。これは、内部空間伝播の抑制に該当する。
【００６１】
耳介への装着状態で、外部に引き出されるコード２ａの引き出し位置が、外耳道内に挿入される部位（筒状部２１ｂ及びイヤピース７）に近く、珠間切痕Ｅ４の凹みにコードガイド２６ａを収めることができる。
これにより、装着が極めて安定すると共に、使用者の装着感が向上する。
また、コード２ａからイヤホン本体部２に伝搬する外部振動が珠間切痕Ｅ４に接触して吸収されるので、スピーカユニット２４から出力された音声がコード２ａを介してマイクユニット２７に到達するのを効率良く防止し、簡単な構造で確実にハウリングの発生が抑制される。これは、外部空間伝播及び筐体伝播の抑制に該当する。
【００６２】
マイク付きイヤホン５２は、マイクユニット２７に外部の音を誘導するための集音孔２３ａが、耳介Ｅでの反射の影響を受けない程度に頭部Ｈから離れた位置にある。
このため、外部の音が耳介Ｅ内面に反射して集音される効果は多くないものの、逆に、スピーカユニット２４から外耳道内に放出された音声が、外耳道から外部空間に漏出しても、耳介Ｅの内面に反射して集音されマイクユニット２７に到達することがない。
従って、簡単な構造で確実にハウリングの発生が抑制される。これは、外部空間伝播の抑制に該当する。
【００６３】
マイク付きイヤホン５２は、すべての仕切り壁をハウジング部材で形成してもよいが、組み立てが難しくなる場合があるので、実施例のように、直列的に設けられた複数の空間を仕切る仕切り壁の少なくとも一つを、ハウジング以外の部材（実施例においては基板２８）で形成することが望ましい。
これにより、組み立てが容易となり、製造効率が向上する。
【００６４】
マイク付きイヤホン５２は、イヤピース７Ａを用いた場合、その前方側が外耳道内で支持され、後方側でイヤホン本体部２を強嵌合で弾性的に保持する態様となる。
これにより、イヤホン本体部２を伝播する機械振動が効果的に抑えられるので、ハウリングの発生が抑制される。これは、筐体伝播の抑制に該当する。
また、イヤホン本体部２の不要な振動が抑えられるので、再生音質が向上する。
【００６５】
マイク付きイヤホン５２は、イヤピース７Ａを用いた場合、リブ７Ａａ２によってイヤホン本体部２の径方向の振動が抑えられ、リブ７Ａａ３によってイヤホン本体部２の前後方向の振動が抑えられ、より効果的にハウリングの発生が抑制される。これは、筐体伝播の抑制に該当する。
また、イヤホン本体部２の、径方向と前後方向との異なる方向の振動を抑えることができるので、再生音質がより向上する。
【００６６】
さらに、マイク付きイヤホン５２は、イヤピース７Ａを用いた場合で、リブ７Ａａ２及びリブ７Ａａ３の少なくとも一方が全周に亘る場合は、外耳道内の空間を外部空間から確実に遮断することができる。これは、外部空間伝播の抑制に該当する。
【００６７】
上述の実施例及び各変形例は、可能な範囲で互いに自由に組み合わせることができる。
【符号の説明】
【００６８】
１  イヤホン部
２，３  イヤホン本体部、    ２ａ，３ａ  コード、    ２ｃ  開口部
４  分岐部
５  プラグ
６  基本コード
７，７Ａ  イヤピース
７ａ，７Ａａ  基部、    ７ａ１，７Ａａ１  内向きリブ
７Ａａｔ  端面、    ７Ａａ２，７Ａａ３  リブ、    ７ｂ  傘状部
７ｃ  放音孔
２１  前ハウジング
２１ａ  基部、    ２１ｂ  筒状部、    ２１ｂ１  端面
２１ｂ２  凹部、    ２１ｂ３  周溝、    ２１ｃ  内リブ
２１ｄ  仕切り壁、    ２１ｄ１  孔
２２  後ハウジング
２３  オーナメント、    ２３ａ  集音孔、    ２３ｂ  連通路
２４  スピーカユニット、    ２４ｂ  背面
２５  ユニットホルダ
２６  ブッシング、    ２６ａ  コードガイド、    ２６ａ１  先端面
２６ｂ  基部、    ２６ｃ  コード孔、    ２６ｃ１  開口部
２６ｄ  結び玉
２７  マイクユニット
２７ａ  収音面、    ２７ｂ  背面、    ２７ｃ  端子ピン
２８  基板、    ２８ａ  孔
２９  ホルダ
２９ａ  底部、    ２９ａ１  孔、    ２９ｂ  仕切り壁、      ２９ｂ１  孔
３０ａ〜３０ｄ  リード線
４１  音声増幅部
４１ａ  端子部、    ４１ｂ  電源スイッチ、    ４１ｃ  音量ボリューム
５１  集音機
５２  マイク付きイヤホン
Ｂ１  接着剤、    Ｂ２  充填剤
Ｅ  耳介
Ｅ１  耳甲介腔、    Ｅ２  耳珠、    Ｅ３  対耳珠、    Ｅ４  珠間切痕
Ｅ５  耳輪
Ｈ  頭部
ＨＧ  ハウジング
Ｍ  マイク部
Ｖ，Ｖｍ  空間
Ｖ１  筒状部空間（第１の空間）、    Ｖ２  基部空間（第２の空間）
Ｖ３  マイク部空間（第３の空間）
【図１】
0006015574.tif 000002
【図２】
0006015574.tif 000003
【図３】
0006015574.tif 000004
【図４】
0006015574.tif 000005
【図５】
0006015574.tif 000006
【図６】
0006015574.tif 000007
【図７】
0006015574.tif 000008
【図８】
0006015574.tif 000009
【図９】
0006015574.tif 000010